(57)【要約】　　　（修正有）【課題】回転刃物で切断する携帯用切断機に関するものであり、目的は、回転刃物が被削材に接触している間は、被削材からの発生粉じんを常にホイルカバー内部に飛び込まさせることにより、粉じんの飛散を防止することにある。【解決手段】ホイルカバー３に対してベース４を移動自在に係止すると共に、巻きバネ７をベース４とホイルカバー３間に配設して、巻きバネ７の弾性力によりベース４とホイルカバー３が常に離れる方向に保持させるように働かせることにより達成される。【選択図】　　　図１
2004058388.tif 000002
【特許請求の範囲】
【請求項１】
モ−タにより回転される回転刃物と、この回転刃物を覆うホイルカバーと、被削材切断時に前記回転刃物を案内するベースが前記ホイルカバーに移動可能に係止されることにより、任意の切断深さに調整する切り込み量調整機構を有する携帯用切断機において、ホイルカバーに対してベースが離れる方向に保持させるバネなどの弾性材を、ベースとホイルカバー間に介在させたことを特徴とする携帯用切断機。
【発明の詳細な説明】
【０００１】
【発明の属する技術分野】
本発明は、回転刃物で切断する携帯用切断機に関するものである。
【０００２】
【従来の技術】
従来の携帯用切断機について図６〜図８を用いて説明する。
【０００３】
モータにより回転される回転刃物の外周部および側面部は、作業者が回転刃物に誤って接触するのを防止するためと、切断時に発生する粉じんの飛散防止を目的に、切断作業に必要な回転刃物の露出部と回転刃物の交換に必要な開口部を除きホイルカバーで覆われている。該ホイルカバーの開放部で切断作業に必要な回転刃物の露出部近傍にはベースが配設されている。回転刃物の回転力により粉じんが飛散する方向となるベースの一端部は、ロールピンを介してホイルカバーで連結され、ロールピンを軸心としてベースがホイルカバーに対して回転することにより、回転刃物がベースから突き出す量（図中Ｃ寸法）を可変することができる。ベースの移動範囲には、ベースとホイルカバーが係合するように案内溝付リンク１６がベースに突設されている。該リンクの案内溝１７とホイルカバーに穿設された穴１８に、固定ボルト１９とノブナット２０を配設し、ノブナットを締め付けることにより、ホイルカバーに対して移動するベースの位置を任意の設定位置で固定することができる。ベースの位置をホイルカバーに対して任意の位置で固定した後、ベースを被削材に当接して切断作業を行うことにより、切断深さを一定に保つことができ、安定した切断作業を行うことができる。切断作業時に被削材から発生する粉じんは、回転刃物が被削材の内部から空間に開放される位置から回転刃物の円周部接線方向に慣性力により飛散する。ホイルカバー内部には、回転刃物の円周部接線方向に飛散した粉じんを一ヶ所に集めて排出するための粉じん吐出口を配設する。集じん機等のダクトホースを粉じん吐出口に直結して粉じんを吸引することにより周囲への粉じん飛散を防止することができ、切断作業環境を快適にすることができる。ホイルカバー内部に飛び込んだ粉じんは、その慣性力によってホイルカバー内壁に沿いながら粉じん吐出口まで誘導することができるが、ホイルカバーに飛び込まない粉じんを集じんするためには、粉じんの持つ慣性力より大きな吸引力を持った集じん機を接続して、粉じんの飛散方向を曲げなければならない。そのような大きな吸引力を持つ大形の集じん機を、切断作業現場へ持ち込むのは現実的には難しい。携帯用切断機は、切り込み調整量を小さく設定すると、ベースとホイルカバー間の開放部が大きくなり、粉じんがホイルカバー内部に飛び込まなくなるため、一般的には粉じん飛散方向にベースとホイルカバーを連結する軸支部を配設する。これにより切り込み調整量に関わらず、粉じんの飛散方向におけるベースとホイルカバーの隙間を少なく設定することが可能となり、粉じんがホイルカバーに飛び込みやすくなる。
【０００４】
従来の携帯用切断機は、ベースを被削材に当接させてベースと被削材間の空間がなくなると効率良く粉じんを集じんすることができる構造に設計されているが、切断作業開始時など、回転刃物が被削材に接触してから、ベースが被削材に当接するまでの間（図中ｅ寸法分を被削材側に押し付ける間）は、回転刃物の円周部接線方向に慣性力により飛散する粉じんをホイルカバー内部に飛び込ませることができず、粉じんが周囲に飛散してしまうという問題があった。
【０００５】
【発明が解決しようとする課題】
携帯用切断機から発生する粉じんの発生量は被削材により差異があるが、特にセメント系成分を有する被削材（コンクリートや、外壁材など）は切削粉じんが微粒子になるため、集じん構造を有しない携帯用切断機で被削材を加工すると、周囲空間に飛散・浮遊する粉じんが大量に発生して作業環境が劣悪になる。集じん構造を有する従来の携帯用切断機であっても、被削材の切断開始時には、被削材とベース間に空間部（図中ｃ寸法）があるために、この空間部に粉じんが飛散してしまう。実際に粉じんが飛散する時間はベースが被削材に当接するまでの短い時間ではあるが、飛散粉じんが微粒子のため、周囲空間に粉じんが浮遊して作業環境が悪くなるという問題があった。
【０００６】
本発明の目的は回転刃物が被削材に接触する際は、常に発生粉じんをホイルカバー内部に飛び込まさせることにより、粉じんの飛散を防止することにある。
【０００７】
【課題を解決するための手段】
上記目的は、ベースをホイルカバーに対して固定して使用することをやめ、ベースをホイルカバーに対して常に移動可能な状態にするとともに、巻きバネをベースとホイルカバーの軸支部に配設して、巻きバネの弾性力によりベースとホイルカバーが常に離れる方向に保持させるように働かせることにより達成される。切り込み量の調整は、ホイルカバーがベースに対して移動する範囲を規制するための突き当て構造をベースとホイルカバーに配設することにより達成される。
【０００８】
【発明の実施の形態】
本発明携帯用切断機の一実施形態を図１〜図５により説明する。
【０００９】
モータ１により回転される回転刃物２の外周部および側面部は、切断作業に必要な回転刃物２の露出部と回転刃物２の交換に必要な開口部を除きホイルカバー３で覆われている。該ホイルカバー３の開放部で切断作業に必要な回転刃物２の露出部近傍にはベース４が配設されている。回転刃物２の回転力により粉じん５が飛散する方向となるベース４の一端部は、ロールピン６を介してホイルカバー３で連結され、ロールピン６を軸心としてベース４がホイルカバー３に対して回転することにより、回転刃物２がベース４から突き出す量（図中ｃ寸法）を可変することができる。
【００１０】
上記構成において、ロールピン６を軸心として巻きバネ７をベース４とホイルカバー３間に配設する。巻きバネ７の一端部はベース４に掛止させ、他端部はホイルカバー３内壁に掛止させる。該バネ力により、切断作業時などの外力が働かない状態の場合には、ベース４はホイルカバー３に対して常に離れる方向に保持される。またベース４には、前記ロールピン６の円周延長上にストッパーアーム８を突設し、同じくホイルカバー３側面でロールピン６の円周延長上には前記ストッパーアーム８の回転軌跡上にストッパーアーム８を突き当てるためのストッパリブ９および位置調整用の六角穴付止めネジ１０とナット１１を配設する。該六角穴付止めネジ１０の出張り量（図中ａ寸法）を調整し、ナット１１を締め付けて調整位置を固定することにより、ホイルカバー３に対してベース４の移動範囲（図中ｂ寸法）を設定することができるため、回転刃物２がベース４から突出する量（図中ｃ寸法）を任意に設定することができる。上記した携帯用切断機は、切断作業開始前にベース４を被削材１２に当接させた後に、切断機本体を被削材１２側（図中矢印ｄ方向）に押し込むことにより、切断作業を開始することができる。また、切り込み調整量（図中ｃ寸法）は上記ストッパーアーム８が六角穴付止めネジ１０に突き当たり、切断機本体を被削材１２側に押し込めなくなることにより設定することができる。
【００１１】
【発明の効果】
本発明によれば、切断作業を開始する前からベース４を被削材１２に当接させることができるため、切断切断開始時に被削材１２の表面とほぼ平行に飛散する粉じん５も含めて、ほとんどの飛散粉じんをホイルカバー３内に飛び込まることができる。ホイルカバー３内部に飛び込んだ粉じん５は、その慣性力によってホイルカバー内壁１３に沿いながら粉じん吐出口１４まで誘導することができるため、粉じん吐出口１４に集じん機のダクトホース１５を直結すれば、周囲空間に粉じん５を飛散・浮遊させることがなくなり、快適な作業環境を提供することができる。
【図面の簡単な説明】
【図１】本発明携帯用切断機の一実施形態を示す要部拡大正面図。
【図２】図１の携帯用切断機の一切断作業状態を示す要部拡大正面図。
【図３】図２の携帯用切断機の要部断面側面図。
【図４】図１の携帯用切断機の一切断作業状態を示す要部拡大正面図。
【図５】図１の携帯用切断機の一切断作業状態を示す要部拡大正面図。
【図６】従来の携帯用切断機の一例を示す背面図。
【図７】図６の携帯用切断機の一作業状態を示す要部拡大正面図。
【図８】図６の携帯用切断機の一作業状態を示す要部拡大正面図。
【符号の説明】
１はモータ、２は回転刃物、３はホイルカバー、４はベース、７は巻きバネである。
【図１】
2004058388.tif 000003
【図２】
2004058388.tif 000004
【図３】
2004058388.tif 000005
【図４】
2004058388.tif 000006
【図５】
2004058388.tif 000007
【図６】
2004058388.tif 000008
【図７】
2004058388.tif 000009
【図８】
2004058388.tif 000010